(57)【特許請求の範囲】
【請求項１】
テレビジョン放送信号から変換された中間周波信号を入力して映像信号を生成するとともに、段階的な値とされた輝度調整値およびコントラスト調整値を入力し、同コントラスト調整値に対応するコントラスト信号を生成し、同輝度調整値に対応する輝度信号を入力されるビーム電流信号に基づいて調整しながら生成するクロマＩＣと、
上記コントラスト調整値および輝度調整値を上記クロマＩＣに対して出力可能なマイコンと、
上記コントラスト信号および輝度信号に基づいて出力映像のコントラストおよび輝度を調整するように上記映像信号に対して所定の色信号処理を行う色信号処理回路と、
入力される高電圧に基づいてビーム電流を流すことにより上記色信号処理が行われた映像信号に対応する映像を所定の管面に表示する受像管と、
上記ビーム電流が多くなるほど低下する上記高電圧を生成するとともに積分値が同ビーム電流の電流量に略比例した略パルス状のパルス状ビーム電流信号を生成するフライバックトランスと、
生成された上記パルス状ビーム電流信号を整流して上記ビーム電流信号を生成する整流回路と、
上記高電圧が所定電圧以上となるときに上記受像管への高電圧の供給を停止させるＸ線プロテクト回路とを備えるテレビジョンにおいて、
上記輝度調整値の変化量に対する上記ビーム電流の電流変化量は、上記コントラスト調整値の変化量に対する上記ビーム電流の電流変化量よりも大きくされており、
上記マイコンは、上記ビーム電流信号に対応する電圧を入力してデジタルの電流値に変換するＡ／Ｄコンバータを有し、変換された電流値からデジタルのビーム電流値を取得し、上記段階的な値とされた輝度調整値を増加させながら上記クロマＩＣに対して出力し、同取得したビーム電流値が最も大きくなる輝度調整値を決定した後、決定した輝度調整値を上記クロマＩＣに対して出力した状態で上記段階的な値とされたコントラスト調整値を変化させながら上記クロマＩＣに対して出力し、同取得したビーム電流値が最大になるコントラスト調整値を決定し、決定したコントラスト調整値を上記クロマＩＣに対して出力することにより、上記ビーム電流を上記受像管からのＸ線の最大放射量を測定可能な電流量に調整する制御を行うことを特徴とするテレビジョン。
【請求項２】
高電圧を生成する高電圧生成手段と、
映像の明るさを調整可能とする映像調整値を入力して出力映像の明るさを調整する所定の色信号処理を行い、生成された上記高電圧に基づいて受像管にビーム電流を流すことにより同色信号処理にて明るさを調整された映像を表示する映像表示手段と、
上記受像管に流れるビーム電流の電流量を検出するビーム電流検出手段と、
検出された上記ビーム電流の電流量に基づいて、上記受像管に流すビーム電流の電流量を最大にするように上記映像調整値を決定し、決定した映像調整値を上記映像表示手段に対して出力するビーム電流制御手段とを具備することを特徴とする映像表示装置。
【請求項３】
上記映像表示手段は、上記映像調整値を入力して対応する映像制御信号を生成する映像信号生成手段と、生成された映像制御信号に基づいて上記映像調整値に対応して出力映像の明るさを調整する上記色信号処理を行う色信号処理手段とを備えることを特徴とする請求項２に記載の映像表示装置。
【請求項４】
上記映像調整値は段階的な値とされた第一および第二の映像調整値から構成され、同第一の映像調整値の変化量に対する上記ビーム電流の電流変化量は同第二の映像調整値の変化量に対する上記ビーム電流の電流変化量よりも大きくされており、
上記映像信号生成手段は、上記第一の映像調整値を入力して第一の映像制御信号を生成するとともに、上記第二の調整値を入力して第二の映像制御信号を生成し、
上記色信号処理手段は、上記生成された第一および第二の映像制御信号に基づいて上記色信号処理を行い、
上記ビーム電流制御手段は、上記段階的な値とされた第一の映像調整値を増加させながら上記映像信号生成手段に対して出力し、上記ビーム電流検出手段にて検出されたビーム電流の電流量が最も大きくなる第一の映像調整値を決定した後、決定した第一の映像調整値を上記映像信号生成手段に対して出力した状態で上記段階的な値とされた第二の映像調整値を変化させながら上記映像信号生成手段に対して出力し、上記ビーム電流検出手段にて検出されたビーム電流の電流量が最大になる第二の映像調整値を決定し、決定した第二の映像調整値を上記映像信号生成手段に対して出力することを特徴とする請求項３に記載の映像表示装置。
【請求項５】
上記第一の映像調整値は出力映像の輝度を調整可能とする輝度調整値であり、上記第二の映像調整値は出力映像のコントラストを調整可能とするコントラスト調整値であり、上記第一の映像制御信号は同輝度調整値に対応した輝度信号であり、上記第二の映像制御信号は同コントラスト調整値に対応したコントラスト信号であることを特徴とする請求項４に記載の映像表示装置。
【請求項６】
上記高電圧生成手段は、上記受像管に流すビーム電流に略比例した電流量のビーム電流信号を生成し、
上記ビーム電流検出手段は、上記生成されたビーム電流信号に対応する電圧を入力してデジタルの電流値に変換するＡ／Ｄコンバータを備え、
上記ビーム電流制御手段は、上記変換された電流値からデジタルのビーム電流値を取得し、上記段階的な値とされた第一の映像調整値を増加させながら上記映像信号生成手段に対して出力し、同取得したビーム電流値が最も大きくなる第一の映像調整値を決定した後、決定した第一の映像調整値を上記映像信号生成手段に対して出力した状態で上記段階的な値とされた第二の映像調整値を変化させながら上記映像信号生成手段に対して出力し、同取得したビーム電流値が最大になる第二の映像調整値を決定し、決定した第二の映像調整値を上記映像信号生成手段に対して出力することを特徴とする請求項４または請求項５のいずれかに記載の映像表示装置。
【請求項７】
上記映像信号生成手段は、上記第一の映像調整値に対応する上記第一の映像制御信号を上記ビーム電流信号に基づいて調整しながら生成するクロマＩＣであり、
上記高電圧生成手段は、積分値が上記ビーム電流の電流量に略比例した略パルス状のパルス状ビーム電流信号を生成するフライバックトランスと、同パルス状ビーム電流信号を整流して上記ビーム電流信号を生成する整流回路とを備えることを特徴とする請求項６に記載の映像表示装置。
【請求項８】
上記整流回路は、上記フライバックトランスとグランドとの間に介在するコンデンサと、このコンデンサの同フライバックトランス側の一端とクロマＩＣとの間に介在する抵抗回路を備え、
上記Ａ／Ｄコンバータは、上記抵抗回路の両端の電圧をそれぞれデジタルの電流値に変換し、
上記ビーム電流制御手段は、上記抵抗回路の両端の電圧から変換された両デジタルの電流値の差を上記ビーム電流値とすることを特徴とする請求項７に記載の映像表示装置。
【請求項９】
上記ビーム電流制御手段は、上記ビーム電流の電流量が最大になる第二の映像調整値を決定して上記映像信号生成手段に対して出力したとき、上記受像管からのＸ線の放射量を測定するように促す旨を外部に出力することを特徴とする請求項４〜請求項８のいずれかに記載の映像表示装置。
【請求項１０】
高電圧を生成する高電圧生成手段と、映像の明るさを調整可能とする映像調整値を入力して出力映像の明るさを調整する所定の色信号処理を行うとともに同高電圧生成手段にて生成された高電圧に基づいて受像管にビーム電流を流すことにより同色信号処理にて明るさを調整された映像を表示する映像表示手段とを備える映像表示装置のビーム電流制御方法であって、
上記受像管に流れるビーム電流の電流量を検出して同検出したビーム電流の電流量に基づいて同受像管に流すビーム電流の電流量を最大にするように上記映像調整値を決定して同決定した映像調整値を上記映像表示手段に対して出力する処理を上記映像表示装置にて行うことを特徴とする映像表示装置のビーム電流制御方法。
【請求項１１】
高電圧を生成する高電圧生成手段と、映像の明るさを調整可能とする映像調整値を入力して出力映像の明るさを調整する所定の色信号処理を行うとともに同高電圧生成手段にて生成された高電圧に基づいて受像管にビーム電流を流すことにより同色信号処理にて明るさを調整された映像を表示する映像表示手段とを備える映像表示装置の最大Ｘ線放射量測定方法であって、
上記受像管に流れるビーム電流の電流量を検出して同検出したビーム電流の電流量に基づいて同受像管に流すビーム電流の電流量を最大にするように上記映像調整値を決定して同決定した映像調整値を上記映像表示手段に対して出力する処理を上記映像表示装置にて行い、
上記受像管に流すビーム電流の電流量を最大にするように決定された映像調整値が上記映像表示手段に対して出力されているときに、Ｘ線放射量を測定可能なＸ線放射量測定装置を用いて上記受像管からのＸ線の最大放射量を測定することを特徴とする映像表示装置の最大Ｘ線放射量測定方法。
【発明の詳細な説明】
【０００１】
【発明の属する技術分野】
本発明は、高電圧を生成し、生成した高電圧に基づいて受像管にビーム電流を流すことにより映像を表示するテレビジョン、映像表示装置、映像表示装置のビーム電流制御方法および映像表示装置の最大Ｘ線放射量測定方法に関する。
【０００２】
【従来の技術】
従来、この種の映像表示装置であるテレビジョンとして、図１０に示すものが知られている。図において、テレビジョン１は、マイコン１１、チューナＩＣ１２、クロマＩＣ１３、整流回路１７、色信号処理回路２１、受像管２２、フライバックトランス（ＦＢＴ）２７、Ｘ線プロテクト回路３０、電源回路４０、等を備えている。クロマＩＣ１３は、テレビジョン放送信号から変換された中間周波信号を入力して映像信号を生成する。マイコン１１は輝度、コントラスト、カットオフを調整可能とする輝度調整値（Bright調整値）、コントラスト調整値（Contrast調整値）、カットオフ調整値（Cutoff調整値）をクロマＩＣ１３に対して出力し、クロマＩＣ１３がこれらの調整値を入力して輝度信号、コントラスト信号、カットオフ信号を生成する。また、クロマＩＣ１３は、ＦＢＴ２７から整流回路１７を介して入力されるビーム電流信号に基づいて、輝度信号を調整する。クロマＩＣ１３にて生成されたこれらの信号は色信号処理回路２１に入力され、映像信号に対して所定の色信号処理が行われる。受像管２２は、ＦＢＴ２７から入力される高電圧に基づいてビーム電流を流すことにより色信号処理が行われた映像信号に対応する映像を所定の管面に表示する。Ｘ線プロテクト回路３０は、同高電圧が所定電圧以上となるときに受像管２２への高電圧の供給を停止させる。電源回路４０は直流の基準電圧を生成し、ＦＢＴ２７が同基準電圧に略比例した高電圧を生成する。
また、図１１に示すように、電源回路４０には、同電源回路４０が生成する基準電圧の大きさを変更可能な半固定抵抗器２が接続されている。
【０００３】
受像管２２から放射されるＸ線量が許容量を超えないよう、テレビジョンの製品出荷時には抜き取り検査で最大Ｘ線放射量を測定している。受像管２２からのＸ線の放射量は、高電圧が高いほど多くなるとともに、受像管２２を流れるビーム電流が多いほど多くなる。なお、ビーム電流の電流量が多くなると高電圧の電位が低下するので、図４に示すように、クロマＩＣ１３に書き込む輝度調整値を大きくしていったときにビーム電流の電流量がピーク（最大）になる点Ｐ１が存在する。
そこで、最大Ｘ線放射量を測定する際、テレビジョン１に出荷検査用のパーソナルコンピュータ（ＰＣ）を接続しておき、まず、半固定抵抗器２を作業者が回すことにより基準電圧を上昇させていき、Ｘ線プロテクト回路が作動する直前の電圧まで高電圧を上昇させる。次に、出荷検査用ＰＣから輝度調整値を少しずつ大きくしながらクロマＩＣ１３に直接書き込み、Ｘ線放射量測定装置の測定部を受像管の管面に持っていってＸ線放射量を測定し、最大となったＸ線放射量を最大Ｘ線放射量としていた。
【０００４】
なお、陰極線管による許容Ｘ線発生量の限界に対応する陰極線管の動作パラメータの限界値を記憶し、陰極線管の動作パラメータを同限界値よりも低く保つことにより、陰極線管からのＸ線発生量を制限する装置も知られている（例えば、特許文献１参照。）。
また、ビーム電流検出回路およびＸ線検出回路の出力に対応させて高電位しきい値および低電位しきい値を設定しておき、これらの回路の出力の電位が両しきい値に達したときに出力の変化を表す制御出力信号を出力する制御回路も知られている（例えば、特許文献２参照。）。
【０００５】
【特許文献１】
特開平５−２４４５４４号公報
【特許文献２】
特開平８−３４０５０１号公報
【０００６】
【発明が解決しようとする課題】
上述した従来の技術においては、上述したビーム電流の電流量がピークになる点は一台一台異なるため、ビーム電流の電流量が最大となるまで輝度調整値を変えながらＸ線放射量を測定するという試行錯誤を伴う作業が必要であり、作業に時間がかかっていた。
なお、特許文献１、特許文献２に開示された技術は、最大Ｘ線放射量を測定可能とする条件を作り出すものではないため、上記課題を解決することはできない。
【０００７】
本発明は、上記課題にかんがみてなされたもので、最大Ｘ線放射量を測定する作業を容易にさせることが可能なテレビジョン、映像表示装置、映像表示装置のビーム電流制御方法および映像表示装置の最大Ｘ線放射量測定方法の提供を目的とする。
【０００８】
【課題を解決するための手段】
上記目的を達成するため、請求項１にかかる発明では、上記輝度調整値の変化量に対する上記ビーム電流の電流変化量は、上記コントラスト調整値の変化量に対する上記ビーム電流の電流変化量よりも大きくされており、上記マイコンは、上記ビーム電流信号に対応する電圧を入力してデジタルの電流値に変換するＡ／Ｄコンバータを有し、変換された電流値からデジタルのビーム電流値を取得し、上記段階的な値とされた輝度調整値を増加させながら上記クロマＩＣに対して出力し、同取得したビーム電流値が最も大きくなる輝度調整値を決定した後、決定した輝度調整値を上記クロマＩＣに対して出力した状態で上記段階的な値とされたコントラスト調整値を変化させながら上記クロマＩＣに対して出力し、同取得したビーム電流値が最大になるコントラスト調整値を決定し、決定したコントラスト調整値を上記クロマＩＣに対して出力することにより、上記ビーム電流を上記受像管からのＸ線の最大放射量を測定可能な電流量に調整する制御を行う。
【０００９】
受像管に流れるビーム電流が多くなるほど低下する高電圧は、フライバックトランスで生成される。同高電圧に基づいて受像管にビーム電流が流れ、受像管の管面に色信号処理が行われた映像信号に対応する映像が表示される。輝度調整値の変化量に対する上記ビーム電流の電流変化量はコントラスト調整値の変化量に対する上記ビーム電流の電流変化量よりも大きくされているので、マイコンは、まず、段階的な値とされた輝度調整値を増加させることによりデジタルのビーム電流値を大まかに増加させながら同ビーム電流値が最も大きくなる輝度調整値を決定する。次に、段階的な値とされたコントラスト調整値を変化させることによりデジタルのビーム電流値を細かく変化させながら同ビーム電流値が最大となるコントラスト調整値を決定する。デジタルのビーム電流値は受像管に流れるビーム電流の電流量（以下、単にビーム電流量とも記載）と略比例しているので、受像管には自動的に電流量が最大となるようにビーム電流が流れ、受像管からの最大Ｘ線放射量を測定することが可能となる。このように、ビーム電流量にピークが存在するときにビーム電流量を最大にするように試行錯誤する必要がなくなり、最大Ｘ線放射量を測定する作業を容易にさせることが可能となる。
また、ビーム電流量は、輝度調整値により大まかに変化して最大に近い状態とされ、コントラスト調整値により細かく変化して確実に最大の状態とされる。従って、正確に、最大Ｘ線放射量を測定することが可能となる。また、このような最適な条件を自動的に作り出すことができるので、迅速に最大Ｘ線放射量を測定することが可能となる。
【００１０】
ところで、テレビジョン以外に使用される種々の映像表示装置にも、本発明を適用することが可能である。そこで、請求項２にかかる発明は、高電圧を生成する高電圧生成手段と、映像の明るさを調整可能とする映像調整値を入力して出力映像の明るさを調整する所定の色信号処理を行い、生成された上記高電圧に基づいて受像管にビーム電流を流すことにより同色信号処理にて明るさを調整された映像を表示する映像表示手段と、上記受像管に流れるビーム電流の電流量を検出するビーム電流検出手段と、検出された上記ビーム電流の電流量に基づいて、上記受像管に流すビーム電流の電流量を最大にするように上記映像調整値を決定し、決定した映像調整値を上記映像表示手段に対して出力するビーム電流制御手段とを具備する構成としてある。
【００１１】
すなわち、高電圧は、高電圧生成手段にて生成される。映像表示手段に対して映像の明るさを調整可能とする映像調整値が入力されると、出力映像の明るさを調整する所定の色信号処理が行われる。同映像表示手段が同高電圧に基づいて受像管にビーム電流を流すと、受像管にて色信号処理にて明るさを調整された映像が表示される。ビーム電流量は、ビーム電流検出手段により検出される。そして、ビーム電流制御手段により、検出されたビーム電流量に基づいて、受像管に流すビーム電流の電流量が最大になるように映像調整値は決定され、決定された映像調整値が映像表示手段に対して出力される。その結果、受像管に流れるビーム電流の電流量は、最大にされる。すると、受像管には自動的に電流量が最大となるようにビーム電流が流れるので、受像管からの最大Ｘ線放射量を測定することが可能となる。
このように、ビーム電流量にピークが存在するときにビーム電流量を最大にするように試行錯誤する必要がなくなり、最大Ｘ線放射量を測定する作業を容易にさせることが可能となる。
【００１２】
ここで、請求項３にかかる発明のように、上記映像表示手段は、上記映像調整値を入力して対応する映像制御信号を生成する映像信号生成手段と、生成された映像制御信号に基づいて上記映像調整値に対応して出力映像の明るさを調整する上記色信号処理を行う色信号処理手段とを備える構成としてもよい。
すなわち、映像信号生成手段により、映像の明るさを調整可能とする映像調整値に対応する映像制御信号が生成される。色信号処理手段により映像調整値に対応して出力映像の明るさを調整する所定の色信号処理が行われると、出力映像は映像制御信号に基づいて調整される。受像管が高電圧に基づいてビーム電流を流すと、色信号処理により明るさが調整された映像が表示される。ビーム電流検出手段にて検出されたビーム電流量に基づいて、ビーム電流制御手段により、ビーム電流量が最大になるように上記映像調整値が決定される。決定された映像調整値は、映像信号生成手段に対して出力される。
従って、テレビジョンに用いられる汎用的な手段を利用して、映像調整値によりビーム電流を電流量が最大となるように調整することができる。
【００１３】
ところで、上記映像調整値は段階的な値とされた第一および第二の映像調整値から構成され、同第一の映像調整値の変化量に対する上記ビーム電流の電流変化量は同第二の映像調整値の変化量に対する上記ビーム電流の電流変化量よりも大きくされており、上記映像信号生成手段は、上記第一の映像調整値を入力して第一の映像制御信号を生成するとともに、上記第二の調整値を入力して第二の映像制御信号を生成し、上記色信号処理手段は、上記生成された第一および第二の映像制御信号に基づいて上記色信号処理を行い、上記ビーム電流制御手段は、上記段階的な値とされた第一の映像調整値を増加させながら上記映像信号生成手段に対して出力し、上記ビーム電流検出手段にて検出されたビーム電流の電流量が最も大きくなる第一の映像調整値を決定した後、決定した第一の映像調整値を上記映像信号生成手段に対して出力した状態で上記段階的な値とされた第二の映像調整値を変化させながら上記映像信号生成手段に対して出力し、上記ビーム電流検出手段にて検出されたビーム電流の電流量が最大になる第二の映像調整値を決定し、決定した第二の映像調整値を上記映像信号生成手段に対して出力する構成としてもよい。
【００１４】
映像調整値は段階的な値とされた第一および第二の映像調整値から構成され、同第一の映像調整値の変化量に対する上記ビーム電流の電流変化量は同第二の映像調整値の変化量に対する上記ビーム電流の電流変化量よりも大きくされているので、ビーム電流制御手段は、まず、段階的な値とされた第一の映像調整値を増加させることによりビーム電流量を大まかに増加させながらビーム電流量が最も大きくなる第一の映像調整値を決定する。次に、段階的な値とされた第二の映像調整値を変化させることによりビーム電流量を細かく変化させながらビーム電流量が最大となる第二の映像調整値を決定する。
すなわち、ビーム電流量を正確に最大にさせて最大Ｘ線放射量を測定可能とする最適な条件を作り出すことができるので、より正確に最大Ｘ線放射量を測定することが可能となる。また、このような最適な条件を自動的に作り出すことができるので、迅速に最大Ｘ線放射量を測定することが可能となる。
【００１５】
なお、上記映像調整値が段階的な値とされた三以上の映像調整値から構成される場合も、請求項４に記載した発明に含まれる。例えば、第二の映像調整値の変化量に対する上記ビーム電流の電流変化量が第三の映像調整値の変化量に対する上記ビーム電流の電流変化量よりも大きくされている場合、上記映像信号生成手段は、上記第三の映像調整値を入力して第三の映像制御信号を生成し、上記色信号処理手段は、上記生成された第一、第二および第三の映像制御信号に基づいて上記色信号処理を行い、上記ビーム電流制御手段は、上記ビーム電流検出手段にて検出されたビーム電流の電流量が最も大きくなる第二の映像調整値を決定して決定した第二の映像調整値を上記映像信号生成手段に対して出力した状態で上記段階的な値とされた第三の映像調整値を変化させながら上記映像信号生成手段に対して出力し、上記ビーム電流検出手段にて検出されたビーム電流の電流量が最大になる第三の映像調整値を決定し、決定した第三の映像調整値を上記映像信号生成手段に対して出力してもよい。
【００１６】
ここで、請求項５にかかる発明のように構成してもよい。第一・第二（第一および第二）の映像調整値と第一・第二の映像制御信号の好適な具体例を提供することができる。
むろん、映像調整値と映像制御信号は様々な構成が考えられる。例えば、第二の映像調整値をカットオフ調整値とし、第二の映像制御信号をカットオフ信号としてもよい。
【００１７】
請求項６にかかる発明では、ビーム電流制御手段が、まず、段階的な値とされた第一の映像調整値を増加させることによりデジタルのビーム電流値を大まかに増加させながら同ビーム電流値が最も大きくなる第一の映像調整値を決定する。次に、段階的な値とされた第二の映像調整値を変化させることによりデジタルのビーム電流値を細かく変化させながら同ビーム電流値が最大となる第二の映像調整値を決定する。デジタルのビーム電流値はビーム電流量と略比例しているので、ビーム電流量を正確に最大にさせて最大Ｘ線放射量を測定可能とする最適な条件を自動的に作り出すことができる。
【００１８】
また、上記映像信号生成手段は、テレビジョン信号から変換された中間周波信号を入力して映像信号を生成するとともに上記第一の映像調整値に対応する上記第一の映像制御信号を上記ビーム電流信号に基づいて調整しながら生成するクロマＩＣであり、上記色信号処理手段は、上記第一および第二の映像制御信号に基づいて出力映像を調整するように上記映像信号に対して上記色信号処理を行う色信号処理回路である構成としてもよい。
【００１９】
さらに、請求項７にかかる発明のように、上記映像信号生成手段は、上記第一の映像調整値に対応する上記第一の映像制御信号を上記ビーム電流信号に基づいて調整しながら生成するクロマＩＣであり、上記高電圧生成手段は、積分値が上記ビーム電流の電流量に略比例した略パルス状のパルス状ビーム電流信号を生成するフライバックトランスと、同パルス状ビーム電流信号を整流して上記ビーム電流信号を生成する整流回路とを備える構成としてもよい。ここで、略パルス状には、方形波のみならず、正弦波の正電位成分のみからなる半波等も含まれる。これらの構成でも、テレビジョンの汎用的な構成を利用して、より正確に、かつ、素早く最大Ｘ線放射量を測定することが可能となる。
なお、フライバックトランス以外にも、所定の高圧生成回路を使用して基準電圧から高電圧を生成するようにしてもよい。
【００２０】
ここで、請求項８にかかる発明のように、上記整流回路は、上記フライバックトランスとグランドとの間に介在するコンデンサと、このコンデンサの同フライバックトランス側の一端とクロマＩＣとの間に介在する抵抗回路を備え、上記Ａ／Ｄコンバータは、上記抵抗回路の両端の電圧をそれぞれデジタルの電流値に変換し、上記ビーム電流制御手段は、上記抵抗回路の両端の電圧から変換された両デジタルの電流値の差を上記ビーム電流値とする構成としてもよい。簡易な構成とされた整流回路を利用してデジタルのビーム電流値を取得することができる。
【００２１】
さらに、請求項９にかかる発明では、Ｘ線の放射量を測定可能である電流量が最大のビーム電流が受像管に流れているときにその旨を知ることができるので、最大Ｘ線放射量を測定する作業の際に利便性が向上する。
ここで、上記旨を出力する構成は様々考えられ、例えば、受像管への表示により上記旨を出力してもよいし、スピーカからの音声出力により上記旨を出力してもよい。
【００２２】
ところで、上述したテレビジョンおよび映像表示装置は、単独で使用される場合もあるし、他の装置に組み込まれた状態で使用される場合もある。
また、ビーム電流量を最大にするように同ビーム電流量を制御する手法は、所定の手順に従って処理を進めていくうえで、その根底にはその手順にも発明が存在する。そこで、請求項１０にかかる発明は、高電圧を生成する高電圧生成手段と、映像の明るさを調整可能とする映像調整値を入力して出力映像の明るさを調整する所定の色信号処理を行うとともに同高電圧生成手段にて生成された高電圧に基づいて受像管にビーム電流を流すことにより同色信号処理にて明るさを調整された映像を表示する映像表示手段とを備える映像表示装置のビーム電流制御方法であって、上記受像管に流れるビーム電流の電流量を検出して同検出したビーム電流の電流量に基づいて同受像管に流すビーム電流の電流量を最大にするように上記映像調整値を決定して同決定した映像調整値を上記映像表示手段に対して出力する処理を上記映像表示装置にて行う構成としてある。
【００２３】
さらに、上記テレビジョンおよび映像表示装置を使用して最大Ｘ線放射量を測定する方法にも発明は存在する。そこで、請求項１１にかかる発明は、高電圧を生成する高電圧生成手段と、映像の明るさを調整可能とする映像調整値を入力して出力映像の明るさを調整する所定の色信号処理を行うとともに同高電圧生成手段にて生成された高電圧に基づいて受像管にビーム電流を流すことにより同色信号処理にて明るさを調整された映像を表示する映像表示手段とを備える映像表示装置の最大Ｘ線放射量測定方法であって、上記受像管に流れるビーム電流の電流量を検出して同検出したビーム電流の電流量に基づいて同受像管に流すビーム電流の電流量を最大にするように上記映像調整値を決定して同決定した映像調整値を上記映像表示手段に対して出力する処理を上記映像表示装置にて行い、上記受像管に流すビーム電流の電流量を最大にするように決定された映像調整値が上記映像表示手段に対して出力されているときに、Ｘ線放射量を測定可能なＸ線放射量測定装置を用いて上記受像管からのＸ線の最大放射量を測定する構成としてある。
すなわち、本発明は映像表示装置のビーム電流制御方法や映像表示装置の最大Ｘ線放射量測定方法としても適用可能であり、請求項１、請求項３〜請求項９に記載された装置構成を当該方法に対応させることも可能である。
【００２４】
【発明の効果】
請求項１にかかる発明によれば、最大Ｘ線放射量を測定する作業を容易にさせることが可能になるとともに、正確に、かつ、素早く最大Ｘ線放射量を測定することが可能となる。
請求項２、請求項１０、請求項１１にかかる発明によれば、最大Ｘ線放射量を測定する作業を容易にさせることが可能となる。
請求項３にかかる発明によれば、簡易な構成で映像調整値により受像管を流れるビーム電流を電流量が最大となるように調整することが可能となる。
請求項４にかかる発明によれば、より正確に、かつ、素早く最大Ｘ線放射量を測定することが可能となる。
請求項５にかかる発明によれば、テレビジョンの汎用的な構成を利用して容易に受像管を流れるビーム電流を電流量が最大となるように調整することが可能となる。
【００２５】
請求項６、請求項７にかかる発明によれば、テレビジョンの汎用的な構成を利用して、より正確に、かつ、素早く最大Ｘ線放射量を測定することが可能となる。
請求項８にかかる発明によれば、簡易な構成で、デジタルのビーム電流値を取得することが可能となる。
請求項９にかかる発明によれば、最大Ｘ線放射量を測定する作業の際に利便性を向上させることができる。
【００２６】
【発明の実施の形態】
以下、下記の順序にしたがって本発明の実施形態について説明する。
（１）テレビジョンの構成：
（２）最大Ｘ線放射量測定時に使用する機器：
（３）テレビジョンの動作と最大Ｘ線放射量測定方法：
（４）まとめ：
【００２７】
（１）テレビジョンの構成：
図１は、本発明の一実施形態にかかるテレビジョン（映像表示装置）１００の構成の概略ブロック図である。なお、操作パネル等は図示を省略している。
図において、テレビジョン１００は、放送受信装置として、概略、ＩＩＣバス１０に接続されたＩＩＣバスインターフェイス（Ｉ／Ｆ）１０ａとマイコン１１とチューナＩＣ１２とクロマＩＣ１３とＥＥＰＲＯＭ１６、リモコン受信部１４、リモコン送信機１５、整流回路１７、等を備えている。チューナＩＣ１２には、アンテナ１２ａが接続されている。クロマＩＣ（映像信号生成手段）１３には、ＩＩＣバス１０の他に、マイコン１１のオンスクリーンディスプレイ回路（ＯＳＤ）１１ｄとチューナＩＣ１２とに直接接続されている。リモコン受信部１４は、マイコン１１に直接接続されている。操作者がリモコン送信機１５の操作キーを操作すると、同リモコン送信機１５は操作内容に対応する赤外線のリモコン信号を送信し、リモコン受信部１４が同リモコン信号を受信する。
マイコン１１は、各種制御を行うため、ＣＰＵ１１ａ、ＲＯＭ１１ｂ、ＲＡＭ１１ｃ、ＯＳＤ１１ｄ、Ａ／Ｄコンバータ１１ｅ，ｆ、図示しないタイマ回路、等を内蔵している。そして、上記リモコン受信部１４から入力されるリモコン信号に応じて、シリアルデータ通信によりテレビジョン１００全体を制御する。
【００２８】
マイコン１１、ＩＣ１２，１３、フライバックトランス（ＦＢＴ）２７等のデバイスには電源回路４０から複数電位の直流の基準電圧が供給されており、これらのデバイスは同基準電圧を利用して動作するようになっている。また、電源回路４０にはＸ線プロテクト回路３０が接続されており、受像管（ＣＲＴ）２２からのＸ線の放射が許容量を超えないように高電位の基準電圧（Ｅ１）が所定電圧以上となるときに電源回路４０に基準電圧の生成を停止させるようになっている。さらに、Ｘ線プロテクト回路３０にはリセット回路３１が接続されており、Ｘ線プロテクト回路３０が作動して電源回路４０に基準電圧の生成を停止させたときに、マイコン１１に対してリセット信号を出力するとともにテレビジョン１００の各部をリセットするように動作する。
【００２９】
チューナＩＣ１２は、周波数シンセサイザ方式のチューナであり、放送電波とされたテレビジョン放送信号（テレビジョン信号の一種）をマイコン１１の制御によりアンテナ１２ａから受信し、中間周波信号（ＩＦ）に変換して出力する。図示していないが、外部入力端子からテレビジョン信号を入力し、中間周波信号に変換して出力することも可能である。同チューナＩＣ１２は、マイコン１１に接続された高周波増幅回路、この高周波増幅回路とマイコン１１に接続された中間周波信号出力回路、等を備えている。中間周波信号出力回路は、マイコン１１に接続された局部発振回路と、この局部発振回路と高周波増幅回路に接続された混合回路とを備えている。なお、これらの回路は、従来から採用されている種々のテレビジョン用の回路を適用することができる。
【００３０】
高周波増幅回路は、バンドパスフィルタを有しており、マイコン１１の制御に基づいて、アンテナ１２ａからこのバンドパスフィルタを介して所望周波数に対応する放送電波を受信し、増幅して高周波信号を作成し、混合回路に出力する。局部発振回路は、ＰＬＬ（Phase Locked Loop ）回路により構成されており、水晶発振回路からの基準発振信号を基準にして、ＰＬＬ回路により放送電波の所望周波数に対応する局部発振周波数の局部発振信号を作成して混合回路に出力する。混合回路は、高周波増幅回路からの出力と局部発振回路からの局部発振信号とを混合して中間周波信号に変換し、クロマＩＣ１３に出力する。
【００３１】
クロマＩＣ１３は、概略、図２に示すように構成されており、各種の信号処理を行っている。クロマＩＣ１３は、ワンチップＩＣとされ、中間周波増幅（ＶＩＦ）回路１３ａ、検波回路１３ｂ、同期回路１３ｃ、バースト信号検出部１３ｄ、ＰＡＬ方式やＳＥＣＡＭ方式等に合わせてＲＧＢ信号とＹ信号を復調する復調部１３ｅ、映像制御信号生成部１３ｆ、等から構成されている。
チューナＩＣ１２からの中間周波信号はＶＩＦ回路１３ａに入力される。ＶＩＦ回路１３ａは、同中間周波信号を中間周波増幅し、検波回路１３ｂに出力する。検波回路１３ｂには図示しないＶＣＯ（Voltage Controled Oscillator）回路が接続されており、同ＶＣＯ回路は水晶発振回路から入力される基準発振信号に基づいて発振信号を発振して検波回路１３ｂに出力する。
【００３２】
検波回路１３ｂは、中間周波増幅された中間周波信号から発振信号の発振周波数に同期しながら映像検波を行い、合成映像信号を分離してバースト信号検出部１３ｄに対して出力する。また、音声の信号については、中間周波増幅された中間周波信号のうち音声成分と発振信号とを混合して第二音声中間周波信号を作成し、ＦＭ検波を行ってＡＵＤＩＯ信号とし、外部に出力する。さらに、検波回路１３ｂは、検波の過程で発振信号の発振周波数に基づいて水平・垂直同期信号（ＳＹＮＣ）も作成して同期回路１３ｃに出力する。同期回路１３ｃは、入力される水平・垂直同期信号に基づいてのこぎり波状のＤＲＩＶＥ信号を作成し、水平偏向回路と垂直偏向回路とからなる偏向回路２５に対して出力する。その際、映像制御信号生成部１３ｆから入力される信号に基づいて処理を行う。
なお、各部１３ａ〜ｆは、従来から採用されている種々のテレビジョン用の回路を適用することができる。
【００３３】
検波回路１３ｂからの合成映像信号が入力されるバースト信号検出部１３ｄは、合成映像信号中のバースト信号が一定の周波数であるか否かを判別し、バースト信号が一定の周波数であるか否かを判別する信号を復調部１３ｅとマイコン１１に対して出力する。バースト信号が一定の周波数であるとき、テレビジョン放送信号はＰＡＬ方式であり、バースト信号が一定の周波数でないとき、テレビジョン放送信号はＳＥＣＡＭ方式である。
【００３４】
復調部１３ｅは、入力される合成映像信号に対して放送方式に対応した所定の色復調処理を行い、ＲＧＢ信号（映像信号）とＹ信号（輝度信号、第一の映像制御信号）を出力する回路である。具体的には、Ｙ信号と搬送色信号とを分離した後、バースト信号から副搬送波を発生し、当該副搬送波で適宜搬送色信号を復調し、色差信号を得ている。その際、映像制御信号生成部１３ｆから入力される輝度調整値を表す信号に基づいて処理を行う。色差信号とＹ信号とからＲＧＢ信号を生成し、色信号処理回路２１に対して出力する。
【００３５】
映像制御信号生成部１３ｆは、マイコン１１から入力されるデジタルの輝度調整値（第一の映像調整値）、コントラスト調整値（第二の映像調整値）、カットオフ調整値を保持して復調部１３ｅや同期回路１３ｃに対して信号を出力するとともに、コントラスト信号（第二の映像制御信号）を色信号処理回路２１に対して出力し、カットオフ信号を受像管２２に対して出力する回路である。
ここで、輝度調整値、コントラスト調整値、カットオフ調整値は、それぞれ出力映像の輝度、コントラスト、カットオフを調整可能とする所定範囲内で段階的な値とされたデジタル値であり、いずれも出力映像の明るさを調整可能とする値である。従って、マイコン１１からの指示によって、ＲＧＢ信号や各種映像制御信号（Ｙ信号、コントラスト信号、カットオフ信号）を放送方式別に調整しつつ受像管２２に表示される映像の明るさを調整することができる。
なお、クロマＩＣ１３はＯＳＤ１１ｄに接続されており、同ＯＳＤ１１ｄから入力されるＯＳＤ信号をＲＧＢ信号に重畳可能である。
【００３６】
色信号処理回路（色信号処理手段）２１は、出力画像の明るさ（輝度やコントラスト）を調整するようにＲＧＢ信号に対して所定の色信号処理を行い、当該処理の結果増幅されたＲＧＢ信号を受像管２２に供給する。すると、受像管２２は、明るさ（輝度やコントラスト）を調整されたＲＧＢ信号に基づいて画面表示を行う。一方、オーディオアンプ２３は、ＡＵＤＩＯ信号を増幅してスピーカ２４に供給する。そして、スピーカ２４は、増幅されたＡＵＤＩＯ信号に基づいて音声を出力する。
偏向回路２５は、水平・垂直ドライブ信号に対応した所定の水平・垂直ドライブ電流を作成し、受像管２２に取り付けられた偏向コイル２６に供給することにより、電子ビームを水平・垂直方向にドライブさせる。また、水平偏向回路で生じる高周波信号は、ＦＢＴ２７に供給される。ＦＢＴ２７は、高電位の基準電圧を入力して受像管２２に供給する高電圧（カソード電圧）を生成する。
すると、受像管２２は、同高電圧に基づいてＲＧＢ信号に応じた電子ビームを所定の管面に向かって放出させる。その結果、受像管２２の管面に画像が現れることになる。
なお、クロマＩＣ１３と、色信号処理回路２１と、受像管２２と、偏向回路２５と、偏向コイル２６とから、映像表示手段が構成される。
【００３７】
上記色信号処理回路２１は、出力映像のコントラストを調整可能とするコントラスト信号に基づいて出力画像のコントラストを調整するようにＲＧＢ信号に対して所定の色信号処理を行うコントラスト調整部２１ａと、出力映像の輝度を調整可能とするＹ信号（輝度信号）に基づいて出力画像の輝度を調整するようにＲＧＢ信号に対して所定の色信号処理を行う輝度調整部２１ｂとを備えている。コントラスト調整部２１ａは、例えば各ＲＧＢ信号のタイミングを微妙にずらす等により出力映像のコントラストを調整するようにＲＧＢ信号を微調整する処理を行う。その際、出力映像の輝度が微妙に変化する。輝度調整部２１ｂは、例えばＹ信号が輝度を上昇させるように変化したときにはＲＧＢ各信号の強度を全て上げる処理を行う。
【００３８】
受像管２２は、ＦＢＴ２７により生成された高電圧を入力し、この高電圧に基づいてビーム電流を流すことにより、色信号処理回路２１で色信号処理が行われたＲＧＢ信号に対応する映像を管面に表示する。
上記高電圧を生成するＦＢＴ２７は、ビーム電流量が多くなると低下する性質を有している。また、ビーム電流量に対応した略パルス状のパルス状ビーム電流信号を生成し、整流回路１７に供給している。
図３の上段は、パルス状ビーム電流信号Ｓ１の電圧の時間変化を示している。ここで、横軸を時間軸、縦軸を電圧軸としているが、縦軸については同信号Ｓ１の電流量をも表している。図に示すように、パルス状ビーム電流信号Ｓ１は、負の電流成分がカットされた正の電流成分のみからなる半波状とされている。なお、電圧（電流量）変化は正弦波の上半分に近い状態とされているが、このような信号でも本発明にいう略パルス状に含まれる。むろん、方形波も略パルス状に含まれることは言うまでもない。
そして、パルス状ビーム電流信号Ｓ１の時間に対する電圧（および電流量）の積分値が、受像管２２に流れるビーム電流の電流量に略比例するものとなっている。
【００３９】
整流回路１７は、ＦＢＴ２７とグランドとの間に介在するコンデンサＣ１と、このコンデンサＣ１のＦＢＴ２７側の一端とクロマＩＣ１３との間に介在する抵抗回路Ｒ１を備えている。ＦＢＴ２７から出力されたパルス状ビーム電流信号は、コンデンサＣ１により平滑され、抵抗回路Ｒ１により電流量を制限されて略直流状のビーム電流信号とされて、クロマＩＣ１３に入力される。このように、整流回路１７は、ＦＢＴ２７により生成されたパルス状ビーム電流信号を整流してビーム電流信号を生成する。
図３の下段は、ビーム電流信号Ｓ２の電圧の時間変化を示しており、パルス状ビーム電流信号Ｓ１を点線により示している。ここで、横軸を時間軸、縦軸を電圧軸としているが、縦軸については同信号Ｓ２の電流量をも表している。図に示すように、ビーム電流信号Ｓ２は、略直流状とされている。そして、パルス状ビーム電流信号Ｓ１の時間に対する電圧（および電流量）の積分値がビーム電流信号Ｓ１の電圧（および電流量）に略比例しているので、ビーム電流信号Ｓ２の電圧（および電流量）はビーム電流量に略比例するものとなっている。
なお、ＦＢＴ２７と整流回路１７とから、高電圧生成手段が構成される。
【００４０】
テレビジョン放送信号から変換された中間周波信号を入力してＲＧＢ信号を生成するクロマＩＣ１３は、マイコン１１から輝度調整値を入力して対応するＹ信号を生成し、コントラスト調整値を入力して対応するコントラスト信号を生成し、カットオフ調整値を入力して対応するカットオフ信号を生成する。これらの映像調整値は、段階的なデジタル値（例えば、８ビットを割り当てた０〜２５５の整数値）とされている。
Ｙ信号については、整流回路１７から入力されるビーム電流信号の電流量に基づいて出力映像の輝度を調節するように調整しながら生成する。
【００４１】
マイコン１１は、各種映像調整値をクロマＩＣ１３に対して出力可能である。これらの映像調整値は、記憶するデータを書き換え可能な不揮発性メモリであるＥＥＰＲＯＭ１６に格納されている。各映像調整値は、テレビジョン１００毎に少しずつ異なっており、テレビジョン１００別に設定されるようになっている。マイコン１１は、ＩＩＣバス１０を介してＥＥＰＲＯＭ１６から各映像調整値を取得し、同ＩＩＣバス１０を介してクロマＩＣ１３に対して各映像調整値を書き込むことが可能である。
【００４２】
ところで、テレビジョンの製品出荷時には抜き取り検査で最大Ｘ線放射量を測定するが、映像を出力している受像管２２の管面から放射されるＸ線の放射量は、高電圧が高いほど多くなるとともに、受像管２２を流れるビーム電流が多いほど多くなる。なお、ＦＢＴ２７が生成する高電圧はビーム電流量が多くなると低下する性質を有しているので、クロマＩＣ１３に書き込む輝度調整値を大きくしていったときにビーム電流量がピークになる点が存在する。
【００４３】
図４は、クロマＩＣに書き込まれる輝度調整値とビーム電流量との関係をグラフ形式で示している。実際には、輝度調整値が段階的な値とされているので、ビーム電流量も段階的に変化する。図では、分かりやすく説明するため、曲線で示している。本実施形態では、輝度調整値が相対的に小さいときに輝度調整値が大きくなるほどビーム電流量が増加するようにされているが、輝度調整値が相対的に大きいときに輝度調整値が小さくなるほどビーム電流量が増加するように設計することも可能である。このような設計とされたテレビジョンの場合、輝度調整値の軸が図４とは逆向き（右側となるほど輝度調整値が小さくなる）にされた特性になるだけであり、本発明を適用可能である。
図に示すように、輝度調整値に対してビーム電流量が最大となる点Ｐ１が存在しており、輝度調整値が点Ｐ１に対応する理想の輝度調整値Ａ１よりも小さいときには輝度調整値が大きくなるほどビーム電流は多くなり、同輝度調整値Ａ１よりも大きいときには輝度調整値が大きくなるほどビーム電流は少なくなる。従来は、最大Ｘ線放射量を測定する際、テレビジョンに出荷検査用ＰＣを接続しておき、まず、電源回路４０に接続した半固定抵抗器を作業者が回すことにより、Ｘ線プロテクト回路が作動する直前の電圧まで高電圧を上昇させてから、次に、出荷検査用ＰＣから輝度調整値を少しずつ大きくしながらクロマＩＣに直接書き込んでその都度Ｘ線放射量を測定し、最大となったＸ線放射量を最大Ｘ線放射量としていた。しかし、ピークとなる点Ｐ１は一台一台異なるため、ビーム電流量が最大となるまで輝度調整値を変えながらＸ線放射量を測定するという時間のかかる煩わしい作業が必要であった。
本テレビジョン１００は、ビーム電流量に対応するビーム電流値を取得し、このビーム電流値が正確に最大となるように自動制御することにより、最大Ｘ線放射量を測定する作業を容易にさせ、正確なかつ素早い最大Ｘ線放射量の測定を可能としている。
【００４４】
マイコン１１には、抵抗回路Ｒ１の両端の電圧を検出するため、抵抗回路Ｒ１におけるコンデンサＣ１との接続部に接続されたＡ／Ｄコンバータ１１ｅと、同抵抗回路Ｒ１におけるクロマＩＣ１３との接続部に接続されたＡ／Ｄコンバータ１１ｆとが設けられている。Ａ／Ｄコンバータ１１ｅは、パルス状ビーム電流信号からコンデンサＣ１により平滑された電流の電圧（Ｖ１とする）を入力してデジタルの電流値に変換する。一方、Ａ／Ｄコンバータ１１ｆは、同平滑された電流が抵抗回路Ｒ１（抵抗値をＲ１と表す）を流れることにより降下した電圧（Ｖ２）を入力してデジタルの電流値に変換する。クロマＩＣ１３に流れるビーム電流信号の電流量ｉ１は、以下の式により表される。
ｉ１ ＝ （Ｖ１−Ｖ２）／Ｒ１    ・・・（１）
抵抗値Ｒ１は変化しないため、Ａ／Ｄコンバータ１１ｅ，ｆにて変換された両デジタルの電流値の差を、上記ビーム電流量に略比例するデジタルのビーム電流値とすることができる。
このように、Ａ／Ｄコンバータ１１ｅ，ｆは、抵抗回路の両端の電圧、すなわち、整流回路１７にて生成されたビーム電流信号に対応する電圧を入力してそれぞれデジタルの電流値に変換する。従って、ＦＢＴ２７とクロマＩＣ１３との間に介在する抵抗回路Ｒ１の両端の電圧を検出するという簡易な構成で、マイコン１１は、Ａ／Ｄコンバータにて変換された電流値からデジタルのビーム電流値を取得することができる。そして、クロマＩＣ１３に書き込む輝度調整値とコントラスト調整値を決定することにより、上記ビーム電流を受像管からのＸ線の最大放射量を測定可能な電流量に調整する制御を行う。
【００４５】
図５は、図４のピークＰ１付近（Ｐ１１）を拡大して示している。図中の各点は輝度調整値がとり得る値に対するビーム電流量を示しており、点線とされた曲線は各点を繋いだものである。輝度調整値は所定範囲内で段階的な値（整数値）とされている一方、輝度調整値を一つずつ変化させるとビーム電流量は大きく変化する。すると、輝度調整値を変化させてビーム電流量を最大にしようとしても、多くの場合、ビーム電流量が最大となる点Ｐ１にする理想的な輝度調整値Ａ１が存在しない。その結果、輝度調整値のとり得る値の中でビーム電流量が最も多くなる点Ｐ２にする輝度調整値Ａ２にしか調整できないことになる。ビーム電流を点Ｐ２に対応する電流量にすることによっても本発明は有効であるが、より正確に最大Ｘ線放射量を測定するため、さらに点Ｐ１に近い状態となるようにビーム電流量が調整されると好適である。
【００４６】
図６は、コントラスト調整値に対するビーム電流量をプロットしている。図中の各点はコントラスト調整値がとり得る値に対するビーム電流量を示している。本実施形態では、コントラスト調整値が相対的に小さいときにコントラスト調整値が大きくなるほどビーム電流量が増加するようにされているが、コントラスト調整値が相対的に大きいときにコントラスト調整値が小さくなるほどビーム電流量が増加するように設計することも可能である。このような設計とされたテレビジョンの場合、コントラスト調整値の軸が図６とは逆向き（右側となるほどコントラスト調整値が小さくなる）にされた特性になるだけであり、本発明を適用可能である。
コントラスト調整値も所定範囲内で段階的な値（整数値）とされているが、コントラスト調整値の変化量に対するビーム電流の電流変化量は、輝度調整値の変化量に対するビーム電流の電流変化量よりも小さい。従って、コントラスト調整値を変化させることにより、ビーム電流量を点Ｐ２からビーム電流量がほぼ最大となる点Ｐ１’にすることができ、ビーム電流量がより理想的な最大に近い点Ｐ１’にするコントラスト調整値Ａ３が存在することになる。その結果、コントラスト調整値を用いると、さらに点Ｐ１に近い状態となるようにビーム電流量が調整される。
【００４７】
（２）最大Ｘ線放射量測定時に使用する機器：
テレビジョン製造工場で調整・検査するため、本テレビジョンのＩＩＣバス１０にはＩＩＣバスＩ／Ｆ１０ａが接続されており、本テレビジョン１００はＰＣと接続可能となっている。
図７は、最大Ｘ線放射量を測定する際に使用する機器をテレビジョンとともに示している。
図において、受像管２２の管面２２ａはテレビジョン１００の前面となるように配置されている。図ではテレビジョン１００の右下部にＩＩＣバスＩ／Ｆ１０ａが配設され、このＩＩＣバスＩ／Ｆ１０ａを介してＩＩＣバスケーブル２０１により出荷検査用ＰＣ２００に接続されている。同ＰＣ２００は、出力デバイスとしてのディスプレイ２０２と、入力デバイスとしてのキーボード２０３、マウス２０４とが接続されている。ＰＣ２００をＩＩＣバスＩ／Ｆ１０ａに接続するとき、テレビジョンのリアキャビネット１００ａを取り外してからＩＩＣバスＩ／Ｆ１０ａにケーブル２０１を接続する。リモコン送信機１５にて所定のキー操作を行っていわゆる工場モードにすると、同ＰＣ２００はテレビジョン１００に対して各種調整データを送出可能となる。
【００４８】
ここで、ＰＣ２００から最大Ｘ線放射量測定モードにする指示が送出されると、詳しくは後述するが、テレビジョン１００は受像管２２に流すビーム電流量が最大となるように高電圧を制御する。そして、このような制御が行われているときに、Ｘ線放射量を測定可能なＸ線放射量測定装置８０の測定部８０ａを受像管の管面２２ａに押し当てるように持っていき、受像管２２からのＸ線の最大放射量を測定する。
【００４９】
（３）テレビジョンの動作と最大Ｘ線放射量測定方法：
以下、本実施形態にかかるテレビジョンの動作を、最大Ｘ線放射量を測定する手順とともに説明する。
まず、テレビジョン製造工場の作業者は、図７で示したようにテレビジョン１００に出荷検査用ＰＣ２００を接続しておくとともに、電源回路４０に接続した図示しない半固定抵抗器を回すことにより基準電圧を上昇させていき、Ｘ線プロテクト回路が作動する直前の電圧まで高電圧を上昇させる。次に、リモコン送信機１５を用いてテレビジョン１００を工場モードにする所定のキー操作を行うとともに、ＰＣ２００にて工場モード用の所定の調整検査プログラムを起動させておく。同調整検査プログラムの機能により、ＰＣ２００はキーボード２０３等から最大Ｘ線放射量測定モードにする指示についての操作入力を受け付けて同指示をテレビジョン１００に送出可能となっており、作業者はキーボード２０３等から最大Ｘ線放射量測定モードにする指示についての操作入力を行うことにより、テレビジョン１００に対して同指示を送ることができる。そして、テレビジョン１００は、工場モードを行っている最中に最大Ｘ線放射量測定モードにする指示を入手すると、受像管２２に流すビーム電流の電流量を最大にする制御処理を行っていく。
【００５０】
マイコン１１は繰り返しリモコン受信部１４を介してリモコン送信機１５からのリモコン信号の入力を受け付ける処理を行っており、工場モードにするキー操作に対応するリモコン信号が入力されると、所定の工場モードフラグをセットし、工場モードを解除するキー操作に対応するリモコン信号が入力されると、同工場モードフラグをリセットする。そして、工場モードフラグがセットされているとき、図８と図９に示す工場モード処理を繰り返し行う。同処理は、マイコン１１のＣＰＵ１１ａによって行われるものである。
まず、ＩＩＣバスＩ／Ｆ１０ａを介して最大Ｘ線放射量測定モードにする指示が入力されているか否かを判断する（ステップＳ１０５。以下、「ステップ」の記載を省略）。同指示が入力されていないときには、本フローを終了する。そして、再び本フローが開始されると、Ｓ１０５で最大Ｘ線放射量測定モードにする指示が入力されているか否かを判断することになる。
【００５１】
最大Ｘ線放射量測定モードにする指示が入力されると、まず、デジタルのビーム電流値の最大値よりも遙かに小さいデジタルのビーム電流値の初期値を設定する（Ｓ１１０）。次に、出力映像の明るさを調整可能とする各種映像調整値（輝度調整値、コントラスト調整値、カットオフ調整値）の初期値をクロマＩＣ１３に対して出力する（Ｓ１１５）。
すると、クロマＩＣ１３は、段階的な値とされたこれらの映像調整値を入力して映像制御信号生成部１３ｆに保持し、コントラスト調整値に対応するコントラスト信号を生成し、カットオフ調整値に対応するカットオフ信号を生成し、輝度調整値に対応するＹ信号を整流回路１７から入力されるビーム電流信号に基づいて調整しながら生成する。色信号処理回路２１は、コントラスト信号とＹ信号を入力し、これらの信号に基づいて出力映像のコントラストと輝度を調整するようにＲＧＢ信号に対して所定の色信号処理を行う。受像管２２は、ＦＢＴ２７から入力される高電圧に基づいてビーム電流を流すことにより明るさを調整する色信号処理が行われたＲＧＢ信号に対応する映像を管面に表示する。ＦＢＴ２７は、積分値が受像管２２を流れるビーム電流の電流量に略比例したパルス状ビーム電流信号を生成する。整流回路１７は、パルス状ビーム電流信号を整流してビーム電流信号を生成し、クロマＩＣ１３に供給する。上述したように、ビーム電流信号の電流量は、ビーム電流量に略比例している。
【００５２】
整流回路の抵抗回路Ｒ１における両端の電圧はＡ／Ｄコンバータ１１ｅ，ｆに入力され、それぞれデジタルの電流値に変換される。そこで、Ｓ１２０では、Ａ／Ｄコンバータ１１ｅ，ｆからそれぞれデジタルの電流値を読み込む。次に、上記式（１）を用いることにより、読み込んだ電流値からデジタルのビーム電流値を取得する（Ｓ１２５）。取得したビーム電流値は、ビーム電流量に略比例した値となる。
このように、Ｓ１２０〜Ｓ１２５の処理は、整流回路１７、Ａ／Ｄコンバータ１１ｅ，ｆとともに、ビーム電流量を検出するビーム電流検出手段を構成する。そして、テレビジョンの汎用的な構成を利用して容易にビーム電流量を検出することができる。
【００５３】
そして、ビーム電流値が前回と比べて増加しているか、すなわち、今回取得したビーム電流値が前回取得したビーム電流値よりも大きくなっているか否かを判断する（Ｓ１３０）。
ビーム電流値が前回と比べて増加している場合、輝度調整値の増加に対してビーム電流量が増加しているため、今回の輝度調整値は図５におけるビーム電流量を最大にする値Ａ２かそれよりも小さいことになる。なお、Ｓ１３０の処理を最初に行うときには、必ず条件成立となる。この場合、Ｓ１３５に進み、輝度調整値を段階的に増加させ（１ないし２以上）、増加させた輝度調整値をクロマＩＣ１３に対して出力し、Ｓ１２０に戻る。従って、Ｓ１２０〜Ｓ１３５の処理が繰り返し行われることになり、段階的な値とされた輝度調整値を増加させながらクロマＩＣに対して出力することができる。
【００５４】
一方、Ｓ１３０でビーム電流値が前回と比べて増加していないと判断した場合、輝度調整値の増加に対してビーム電流量が増加していないため、今回の輝度調整値は図５におけるビーム電流量を最大にする値Ａ２かそれよりも大きいことになる。この場合、Ｓ１４０に進み、Ｓ１２５にて取得したビーム電流値が最も大きくなる輝度調整値を決定し、決定した輝度調整値をクロマＩＣ１３に対して出力する。具体的には、前回出力した輝度調整値に決定する。このようにして、段階的な値とされた輝度調整値を増加させながらクロマＩＣに対して出力し、Ａ／Ｄコンバータにて変換された電流値からデジタルのビーム電流値を取得し、取得したビーム電流値が最も大きくなる輝度調整値を決定することができる。ここで、ビーム電流値が最も大きくなるとき、同ビーム電流値に略比例するビーム電流量も最も大きくなる。従って、段階的な値とされた輝度調整値を増加させることによりビーム電流量を大まかに増加させながら同ビーム電流量が最も多くなる輝度調整値を決定し、決定した輝度調整値をクロマＩＣに対して出力することになる。
【００５５】
その後、再び、デジタルのビーム電流値の最大値よりも遙かに小さいデジタルのビーム電流値の初期値を設定する（Ｓ１４５）。次に、出力映像のコントラストを調整可能とするコントラスト調整値の初期値を決定し、決定したコントラスト調整値の初期値をクロマＩＣ１３に対して出力する（Ｓ１５０）。例えば、コントラスト調整値を１０増加させたときのビーム電流の電流変化量と輝度調整値を１増加させたときのビーム電流の電流変化量とが同じになる場合、Ｓ１１５で出力したコントラスト調整値よりも１０小さい値をＳ１５０の初期値とする。一般には、ビーム電流の電流変化量が輝度調整値を１増加させるのに相当するコントラスト調整値の増加値をＳ１１５で出力したコントラスト調整値よりも差し引いてＳ１５０の初期値とすればよい。
コントラスト調整値の初期値を出力すると、Ａ／Ｄコンバータ１１ｅ，ｆからそれぞれデジタルの電流値を読み込む（Ｓ１５５）。次に、上記式（１）を用いることにより、読み込んだ電流値からデジタルのビーム電流値を取得する（Ｓ１６０）。すなわち、Ｓ１５０〜Ｓ１６０の処理も、整流回路１７、Ａ／Ｄコンバータ１１ｅ，ｆとともに、ビーム電流検出手段を構成する。
【００５６】
そして、ビーム電流値が前回と比べて増加しているか否かを判断する（Ｓ１６５）。
ビーム電流値が前回と比べて増加している場合、コントラスト調整値の増加に対してビーム電流量が増加しているため、今回のコントラスト調整値は図６におけるビーム電流量を最大にする値Ａ３かそれよりも小さいことになる。なお、Ｓ１６５の処理を最初に行うときには、必ず条件成立となる。この場合、Ｓ１７０に進み、コントラスト調整値を段階的に増加させ（１ないし２以上）、増加させたコントラスト調整値をクロマＩＣ１３に対して出力し、Ｓ１５０に戻る。従って、Ｓ１５５〜Ｓ１７０の処理が繰り返し行われることになり、Ｓ１４０で決定した輝度調整値をクロマＩＣに対して出力した状態で段階的な値とされたコントラスト調整値を変化させながらクロマＩＣに対して出力することができる。
【００５７】
一方、Ｓ１６５でビーム電流値が前回と比べて増加していないと判断した場合、コントラスト調整値の増加に対してビーム電流量が増加していないため、今回のコントラスト調整値は図６におけるビーム電流量を最大にする値Ａ３かそれよりも大きいことになる。この場合、Ｓ１７５に進み、Ｓ１６０にて取得したビーム電流値が最大となるコントラスト調整値を決定する。具体的には、前回出力したコントラスト調整値に決定する。このようにして、段階的な値とされたコントラスト調整値を変化させながらクロマＩＣに対して出力し、Ａ／Ｄコンバータにて変換された電流値からデジタルのビーム電流値を取得し、取得したビーム電流値が最大となるコントラスト調整値を決定することができる。上述したようにビーム電流量はデジタルのビーム電流値に略比例しているので、段階的な値とされたコントラスト調整値を変化させることにより同ビーム電流量を細かく変化させながら当該ビーム電流量が最大となるコントラスト調整値を決定し、決定したコントラスト調整値をクロマＩＣに対して出力することになる。このように、従来からのテレビジョンの汎用的な構成を利用してビーム電流量を最大にする制御を行うことができる。
【００５８】
本実施形態では、その後、最大Ｘ線放射量を測定可能な状態になったことを作業者に伝えるため、例えば「エックスセンヲソクテイシテクダサイ」といった受像管２２からのＸ線の最大放射量を測定するように促す旨をＯＳＤ１１ｄを介して受像管２２に表示させる（Ｓ２０５）。また、最大Ｘ線放射量の測定を促す旨に対応する所定の音声データをクロマＩＣ１３に出力し、スピーカ２４から所定の音声を出力させる（Ｓ２１０）。従って、Ｘ線の放射量を測定可能なビーム電流が受像管を流れているときにその旨を表示や音声出力から知ることができるので、最大Ｘ線放射量を測定する作業の際に便利である。
【００５９】
そこで、作業者は、Ｘ線放射量測定装置８０を用いて受像管２２の管面２２ａに測定部８０ａを押し当てるように持っていき、同管面２２ａ上を移動させながらＸ線放射量が最大となるときの値を読み込むことにより、受像管２２からのＸ線の最大放射量を測定する。この段階において、ビーム電流値が最大になるコントラスト調整値がクロマＩＣ１３に対して出力されているので、テレビジョン１００ではビーム電流を受像管からのＸ線の最大放射量を測定可能な最大の電流量に調整する制御が行われている。すなわち、受像管には自動的に電流量が最大となるようにビーム電流が流れており、受像管からの最大Ｘ線放射量を測定することが可能となる。従って、従来のように、出荷検査用ＰＣから輝度調整値をビーム電流量が最大となるまで変えながら入力し、その都度Ｘ線放射量を測定するという試行錯誤を伴う作業を行う必要がなくなり、最大Ｘ線放射量を測定する作業が容易となる。
【００６０】
その後、例えばリモコン送信機１５の終了キーが操作されたか否かを検出することにより、最大Ｘ線放射量の測定が終了したか否かを判断する（Ｓ２１５）。本判断処理は、最大Ｘ線放射量の測定が終了するまで繰り返し行う。むろん、マイコン１１のタイマ回路を利用して、所定時間経過したか否かを判定することにより、測定が終了したか否かを判断してもよい。同測定が終了したと判断すると、クロマＩＣ１３が保持する各種映像調整値を初期状態にするため、所定の映像調整値をクロマＩＣ１３に対して出力し（Ｓ２２０）、本フローを終了する。
上述したＳ１０５〜Ｓ１１５，Ｓ１３０〜Ｓ１５０，Ｓ１６５〜Ｓ２２０の処理は、検出されたビーム電流量に基づいて、受像管に流すビーム電流の電流量を最大にするように映像調整値を決定し、決定した映像調整値を映像表示手段に対して出力するビーム電流制御手段を構成する。
【００６１】
（４）まとめ：
以上説明したように、本発明のテレビジョンおよび映像表示装置を用いると、受像管に対して自動的に電流量が最大となるようにビーム電流を流すことができるので、ビーム電流の電流量にピークが存在するときにビーム電流の電流量を最大にする手間を省くことができ、最大Ｘ線放射量を迅速に測定することが可能となる。また、受像管に流れるビーム電流の電流量は、輝度調整値により大まかに変化して最大に近い状態とされ、コントラスト調整値により細かく変化して確実に最大の状態とされる。従って、正確に、最大Ｘ線放射量を測定することが可能となる。また、このような最適な条件を自動的に作り出すことができるので、迅速に最大Ｘ線放射量を測定することが可能となる。
【００６２】
本発明のテレビジョンおよび映像表示装置は、様々な変形例が考えられる。
上述した実施形態では、抵抗回路Ｒ１の両端の電圧からビーム電流値を検出したが、ビーム電流信号の電流量と電圧とは相関関係があるので、抵抗回路Ｒ１の両端のいずれかの電圧のみからビーム電流値を検出してもよい。すると、簡易な構成でビーム電流値を検出することができる。
また、上述した実施形態では、輝度調整値を用いて大ざっぱな制御によりビーム電流の電流量を最も大きくした後にコントラスト調整値を用いて細かく制御してビーム電流の電流量を最大にしたが、コントラスト調整値よりもきめ細やかにビーム電流の電流量を制御可能な第三の映像調整値があれば、当該第三の映像調整値を用いてもよい。例えば、カットオフ調整値の変化量に対するビーム電流の電流変化量がコントラスト調整値の変化量に対するビーム電流の電流変化量よりも小さければ、カットオフ調整値を用いてきめ細やかに制御してビーム電流の電流量を最大にすることができる。
【図面の簡単な説明】
【図１】本発明の一実施形態にかかるテレビジョンの構成の概略ブロック図である。
【図２】クロマＩＣの概略構成を示すブロック図である。
【図３】パルス状ビーム電流信号とビーム電流信号の時間変化を示す図である。
【図４】クロマＩＣに書き込まれる輝度調整値とビーム電流の電流量との関係を示す図である。
【図５】図４のピーク付近を拡大して示す図である。
【図６】クロマＩＣに書き込まれるコントラスト調整値とビーム電流の電流量との関係を、ピーク付近を拡大して示す図である。
【図７】最大Ｘ線放射量を測定する際に使用する機器をテレビジョンとともに示す図である。
【図８】工場モード処理を示すフローチャートである。
【図９】工場モード処理を示すフローチャートである。
【図１０】従来例にかかるテレビジョンの構成の概略ブロック図である。
【図１１】従来例にかかるテレビジョンの要部構成を示す図である。
【符号の説明】
１０…ＩＩＣバス
１０ａ…ＩＩＣバスインターフェイス
１１…マイコン
１１ａ…ＣＰＵ
１１ｂ…ＲＯＭ
１１ｃ…ＲＡＭ
１１ｄ…オンスクリーンディスプレイ回路
１１ｅ，ｆ…Ａ／Ｄコンバータ
１２…チューナＩＣ
１２ａ…アンテナ
１３…クロマＩＣ
１３ｅ…復調部
１３ｆ…映像制御信号生成部
１６…ＥＥＰＲＯＭ
１７…整流回路
２１…色信号処理回路
２１ａ…コントラスト調整部
２１ｂ…輝度調整部
２２…受像管（ＣＲＴ）
２２ａ…管面
２３…オーディオアンプ
２４…スピーカ
２５…偏向回路
２６…偏向コイル
２７…フライバックトランス（ＦＢＴ）
３０…Ｘ線プロテクト回路
３１…リセット回路
４０…電源回路
８０…Ｘ線放射量測定装置
８０ａ…測定部
１００…テレビジョン
２００…パーソナルコンピュータ
Ｒ１…抵抗回路
Ｃ１…コンデンサ
【図１】
0003695536.tif 000002
【図２】
0003695536.tif 000003
【図３】
0003695536.tif 000004
【図４】
0003695536.tif 000005
【図５】
0003695536.tif 000006
【図６】
0003695536.tif 000007
【図７】
0003695536.tif 000008
【図８】
0003695536.tif 000009
【図９】
0003695536.tif 000010
【図１０】
0003695536.tif 000011
【図１１】
0003695536.tif 000012